(57)【要約】【課題】本願発明は環境に優しい風力発電能力の短期予測装置を開示した。【解決手段】予測器ケース含む、前記予測器ケースの内部には前記風力エネルギー記録機構が設けられ、前記風力エネルギー記録機構は伝動溝を含み、前記伝動溝は前記予測器ケースの内部に位置し、前記伝動溝の下壁には上向きに開口する移動溝が形成され、前記移動溝の内部には移動ブロックがスライド可能に設けられ、前記移動ブロックの上端面には、上端が前記伝動溝の中に位置する移動ロッドが固定的に設けられ、本願発明は電源を使用せず、完全に外部の風力で動作し、非常に環境に優しく、エネルギーを節約でき、本願発明は風の方向に向けるように方向を自動的に調整でき、測定サイトで風力エネルギーの短期予測と記録の読み取りを行い、使用者は測定値を定期的に観察し、本願発明をリセットするだけで、測定サイトの短期風力エネルギー値を取得できる。【選択図】図１
2020197210.tif 000002
【特許請求の範囲】
【請求項１】
前記予測器ケースの内部には前記風力エネルギー記録機構が設けられ、前記風力エネルギー記録機構は伝動溝を含み、前記伝動溝は前記予測器ケースの内部に位置し、前記伝動溝の下壁には上向きに開口する移動溝が形成され、前記移動溝の内部には移動ブロックがスライド可能に設けられ、前記移動ブロックの上端面には、上端が前記伝動溝の中に位置する移動ロッドが固定的に設けられ、前記移動ロッドの上端には横ロッドが固定的に設けられ、前記横ロッドの内部には、上方に開口する弾性溝が形成され、前記弾性溝の下壁には弾性バネが固定的に設けられ、前記弾性バネの上端には弾性ブロックが固定的に設けられ、前記伝動溝の後壁には中心軸が回転可能に設けられ、前記中心軸には円形ブロックと第一プーリが固定的に設けられ、前記円形ブロックは、前記第一プーリの前側に位置し、
前記円形ブロックには八個の方形ブロックが等間隔に固定的に設けられ、前記伝動溝の右壁には方形磁石が固定的に設けられ、前記伝動溝の後壁には伝動軸が回転可能に設けられ、前記伝動軸には中間歯車と伝動プーリとが固定的に設けられ、前記伝動プーリは前記中間歯車の前側に位置し、前記伝動プーリと前記第一プーリはベルトによって摩擦伝動でき、前記伝動溝の上壁は長い溝を介して外部空間と連通し、前記長い溝の後壁には読取スロットが装着され、前記長い溝には中空ブロックが摺動可能に設けられ、前記中空ブロックの右端面には、右端が前記長い溝の右端壁に固定的に連結している長いバネが固定的に設けられ、前記中空ブロックには前記中空ブロックの上下端面を貫通している中空溝が形成され、前記中空溝の後壁には位置決めロッドが固定的に設けられ、前記位置決めロッドにはラックブロックが回転可能に設けられ、前記ラックブロックの上端面には指針が固定的に設けられ、前記位置決めロッドと前記ラックブロックとの間にはねじりばねが設けられ、前記ラックブロックの下端面は前記中間歯車と噛合伝動でき、前記弾性ブロックは左右に繰り返して移動することで、前記方形ブロックを押して等間隔に回転させ、前記指針は前記読取スロットの上で移動し、風力エネルギーの読み取りは前記指針によって前記読取スロットに表示されることを特徴とする環境に優しい風力発電能力の短期予測装置。
【請求項２】
風力エネルギー機構は、前記伝動溝の左壁に位置する昇降溝を含み、前記昇降溝の上壁には昇降ばねが固定的に設けられ、前記昇降ばねの下端には前記昇降溝にスライド可能に連結している昇降ブロックが固定的に設けられ、前記昇降ブロックの右面には右端が前記伝動溝の内部に位置する昇降ロッドが固定的に設けられ、前記昇降ロッドの右端は三角形ブロックが固定的に設けられ、前記三角形ブロックの後面には第一斜めロッドが回転可能に設けられ、前記第一斜めロッドの右端は前記横ロッドと回転可能に連結され、前記伝動溝の下壁には、上壁が前記伝動溝と連通する円柱溝が形成され、前記三角形ブロックの下端は前記円柱溝に位置し、前記円柱溝の右壁には左端が外部空間に位置するファン軸が回転可能に設けられ、前記円柱溝の中にある前記ファン軸には押しブロックが固定的に設けられ、外部空間に位置する前記ファン軸には四つのファンブレードが等間隔にスライド可能に設けられていることを特徴とする請求項１に記載の環境に優しい風力発電能力の短期予測装置。
【請求項３】
前記方向転換機構は、前記円柱溝に位置する圧力溝を含み、前記圧力溝は左方に開口し、前記圧力溝の右壁には左壁が前記圧力溝と連通する受力溝が設けられ、前記予測器ケースには五つの風防板が固定的に設けられ、前記受力溝の下壁は鉛直溝によって外部空間と連通し、前記圧力溝には圧力板が摺動可能に設けられ、前記圧力板の右面には、右端が前記圧力溝の右壁と固定的に連結している圧力スプリングが上下に対称に且つ固定的に設けられ、前記圧力板の右面の中央には、右端が前記受力溝の中に位置する移動ロッドが固定的に設けられ、前記移動ロッドの右端には第二傾斜ロッドが回転可能に設けられ、前記鉛直溝には前記鉛直溝を貫通する鉛直ロッドが摺動可能に設けられ、前記鉛直ロッドの上端は前記第二傾斜ロッドと回転可能に連結され、前記鉛直ロッドの下端には鉄の塊が固定的に設けられ、前記予測器ケースの下側には底板は設けられ、前記底板にはリング型磁石が装着され、前記底板には上方に開口するリング溝が形成され、前記リング溝には円弧状ブロックが左右対称に且つスライド可能に設けられ、前記円弧状ブロックの上面には、上端が前記予測器ケースの下端面と固定的に接続されている支持ロッドが固定的に設けられていることを特徴とする請求項２に記載の環境に優しい風力発電能力の短期予測装置。
【請求項４】
前記鉄の塊と前記リング型磁石との間には引力が存在し、前記鉄の塊が特定の位置まで下降すると、前記鉄の塊は前記リング型磁石を引き付けることを特徴とする請求項３に記載の環境に優しい風力発電能力の短期予測装置。
【請求項５】
前記ファンブレードと前記風防板とは一定の強さの風により吹き動かされることができ、前記ファンブレードが風に吹き動かされた後、前記ファン軸を駆動して回転させ、前記風防板が風に吹き動かされた後、前記予測器ケースを駆動して前記底板に対して回転させることを特徴とする請求項４に記載の環境に優しい風力発電能力の短期予測装置。
【請求項６】
前記方形ブロックと前記方形磁石の間には引力があり、引力は前記弾性バネの弾性力よりも大きいため、前記弾性ブロックが右に移動すると、前記方形ブロックは前記弾性ブロックを押し、前記弾性溝に向かって移動させることを特徴とする請求項１に記載の環境に優しい風力発電能力の短期予測装置。
【請求項７】
前記押しブロックが回転すると、前記押しブロックがどの方向に回転しても、前記三角形ブロックを押し上げることができることを特徴とする請求項２に記載の環境に優しい風力発電能力の短期予測装置。
【請求項８】
前記昇降ばね、前記圧力スプリングおよび前記長いバネはすべて正常な状態にあることを特徴とする請求項３に記載の環境に優しい風力発電能力の短期予測装置。
【発明の詳細な説明】
【技術分野】
【０００１】
本願発明は風力発電検出の技術分野を取り上げ、具体的には環境に優しい風力発電能力の短期予測装置である。
【背景技術】
【０００２】
風力エネルギーは非常に環境に優しくて再生可能なエネルギー源であり、風力エネルギーを使用する前に、後に設備を設置するために発電能力を予測する必要があるが、既存の風力発電能力の短期予測装置自体のほとんどはエネルギーを消費する必要があり、環境保護に役立たず、使いにくくて人力的な操作が必要とされ、自動化の程度が低く、コストと材料の投入が多い。
【先行技術文献】
【特許文献】
【０００３】
【特許文献１】中国特許出願公開第１０２８６８２０３号明細書
【発明の概要】
【発明が解決しようとする課題】
【０００４】
本願発明の目的は環境に優しい風力発電能力の短期予測装置を提供することにより、上記の技術問題を克服する。
【課題を解決するための手段】
【０００５】
上記の課題を解決するため、本願発明は以下の技術プランを採用する：前記予測器ケースの内部には前記風力エネルギー記録機構が設けられ、前記風力エネルギー記録機構は伝動溝を含み、前記伝動溝は前記予測器ケースの内部に位置し、前記伝動溝の下壁には上向きに開口する移動溝が形成され、前記移動溝の内部には移動ブロックがスライド可能に設けられ、前記移動ブロックの上端面には、上端が前記伝動溝の中に位置する移動ロッドが固定的に設けられ、前記移動ロッドの上端には横ロッドが固定的に設けられ、前記横ロッドの内部には、上方に開口する弾性溝が形成され、前記弾性溝の下壁には弾性バネが固定的に設けられ、前記弾性バネの上端には弾性ブロックが固定的に設けられ、前記伝動溝の後壁には中心軸が回転可能に設けられ、前記中心軸には円形ブロックと第一プーリが固定的に設けられ、前記円形ブロックは、前記第一プーリの前側に位置し、
前記円形ブロックには八個の方形ブロックが等間隔に固定的に設けられ、前記伝動溝の右壁には方形磁石が固定的に設けられ、前記伝動溝の後壁には伝動軸が回転可能に設けられ、前記伝動軸には中間歯車と伝動プーリとが固定的に設けられ、前記伝動プーリは前記中間歯車の前側に位置し、前記伝動プーリと前記第一プーリはベルトによって摩擦伝動でき、前記伝動溝の上壁は長い溝を介して外部空間と連通し、前記長い溝の後壁には読取スロットが装着され、前記長い溝には中空ブロックが摺動可能に設けられ、前記中空ブロックの右端面には、右端が前記長い溝の右端壁に固定的に連結している長いバネが固定的に設けられ、前記中空ブロックには前記中空ブロックの上下端面を貫通している中空溝が形成され、前記中空溝の後壁には位置決めロッドが固定的に設けられ、前記位置決めロッドにはラックブロックが回転可能に設けられ、前記ラックブロックの上端面には指針が固定的に設けられ、前記位置決めロッドと前記ラックブロックとの間にはねじりばねが設けられ、前記ラックブロックの下端面は前記中間歯車と噛合伝動でき、前記弾性ブロックは左右に繰り返して移動することで、前記方形ブロックを押して等間隔に回転させ、前記指針は前記読取スロットの上で移動し、風力エネルギーの読み取りは前記指針によって前記読取スロットに表示される。
【０００６】
更の技術プラン、風力エネルギー機構は、前記伝動溝の左壁に位置する昇降溝を含み、前記昇降溝の上壁には昇降ばねが固定的に設けられ、前記昇降ばねの下端には前記昇降溝にスライド可能に連結している昇降ブロックが固定的に設けられ、前記昇降ブロックの右面には右端が前記伝動溝の内部に位置する昇降ロッドが固定的に設けられ、前記昇降ロッドの右端は三角形ブロックが固定的に設けられ、前記三角形ブロックの後面には第一斜めロッドが回転可能に設けられ、前記第一斜めロッドの右端は前記横ロッドと回転可能に連結され、前記伝動溝の下壁には、上壁が前記伝動溝と連通する円柱溝が形成され、前記三角形ブロックの下端は前記円柱溝に位置し、前記円柱溝の右壁には左端が外部空間に位置するファン軸が回転可能に設けられ、前記円柱溝の中にある前記ファン軸には押しブロックが固定的に設けられ、外部空間に位置する前記ファン軸には四つのファンブレードが等間隔にスライド可能に設けられている。
【０００７】
優選の技術プランとして、前記方向転換機構は、前記円柱溝に位置する圧力溝を含み、前記圧力溝は左方に開口し、前記圧力溝の右壁には左壁が前記圧力溝と連通する受力溝が設けられ、前記予測器ケースには五つの風防板が固定的に設けられ、前記受力溝の下壁は鉛直溝によって外部空間と連通し、前記圧力溝には圧力板が摺動可能に設けられ、前記圧力板の右面には、右端が前記圧力溝の右壁と固定的に連結している圧力スプリングが上下に対称に且つ固定的に設けられ、前記圧力板の右面の中央には、右端が前記受力溝の中に位置する移動ロッドが固定的に設けられ、前記移動ロッドの右端には第二傾斜ロッドが回転可能に設けられ、前記鉛直溝には前記鉛直溝を貫通する鉛直ロッドが摺動可能に設けられ、前記鉛直ロッドの上端は前記第二傾斜ロッドと回転可能に連結され、前記鉛直ロッドの下端には鉄の塊が固定的に設けられ、前記予測器ケースの下側には底板は設けられ、前記底板にはリング型磁石が装着され、前記底板には上方に開口するリング溝が形成され、前記リング溝には円弧状ブロックが左右対称に且つスライド可能に設けられ、前記円弧状ブロックの上面には、上端が前記予測器ケースの下端面と固定的に接続されている支持ロッドが固定的に設けられている。
【０００８】
優選の技術プランとして、前記鉄の塊と前記リング型磁石との間には引力が存在し、前記鉄の塊が特定の位置まで下降すると、前記鉄の塊は前記リング型磁石を引き付ける。
【０００９】
優選の技術プランとして、前記ファンブレードと前記風防板とは一定の強さの風により吹き動かされることができ、前記ファンブレードが風に吹き動かされた後、前記ファン軸を駆動して回転させ、前記風防板が風に吹き動かされた後、前記予測器ケースを駆動して前記底板に対して回転させる。
【００１０】
優選の技術プランとして、前記方形ブロックと前記方形磁石の間には引力があり、引力は前記弾性バネの弾性力よりも大きいため、前記弾性ブロックが右に移動すると、前記方形ブロックは前記弾性ブロックを押し、前記弾性溝に向かって移動させる。
【００１１】
優選の技術プランとして、前記押しブロックが回転すると、前記押しブロックがどの方向に回転しても、前記三角形ブロックを押し上げることができる。
【００１２】
優選の技術プランとして、前記昇降ばね、前記圧力スプリングおよび前記長いバネはすべて正常な状態にある。
【発明の効果】
【００１３】
本願発明は電源を使用せず、完全に外部の風力で動作し、非常に環境に優しく、エネルギーを節約でき、本願発明は風の方向に向けるように方向を自動的に調整でき、測定サイトで風力エネルギーの短期予測と記録の読み取りを行い、使用者は測定値を定期的に観察し、本願発明をリセットするだけで、測定サイトの短期風力エネルギー値を取得でき、使いやすく、全体的な投入コストと材料が少なく、資源を節約することもできる。
【図面の簡単な説明】
【００１４】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】は本願発明の環境に優しい風力発電能力の短期予測装置の全体断面の正面図
【図２】図２は図１におけるＣの拡大模式図
【図３】図３は図１におけるＥの拡大模式図
【図４】図４は図１におけるＡ?Ａ方向の模式図
【図５】図５は図１のＢ?Ｂ方向の模式図
【図６】図６は図１のＦ?Ｆ方向の模式図
【図７】図７は図２のＤ?Ｄ方向の模式図
【発明を実施するための形態】
【００１６】
ここでは図１〜７を参照し、本願発明について詳しく説明する。叙述の便利のため、以下に述べる方位についてこのように規定する：以下に述べる上下・左右・前後の方向は、図１自体の投影関係の上下・左右・前後の方向と一致する。
【００１７】
図１〜７を参照し、本願発明の環境に優しい風力発電能力の短期予測装置は、主に予測器ケース１０、風力エネルギー機構７０、風力エネルギー記録機構７１、および方向転換機構７２を含む。
【００１８】
前記予測器ケース１０の内部には前記風力エネルギー記録機構７１が設けられ、前記風力エネルギー記録機構７１は伝動溝２９を含み、前記伝動溝２９は前記予測器ケース１０の内部に位置し、前記伝動溝２９の下壁には上向きに開口する移動溝が形成され、前記移動溝５９の内部には移動ブロック５４がスライド可能に設けられ、前記移動ブロック５４の上端面には、上端が前記伝動溝２９の中に位置する移動ロッド６０が固定的に設けられ、前記移動ロッド６０の上端には横ロッド５５が固定的に設けられ、前記横ロッド５５の内部には、上方に開口する弾性溝５７が形成され、前記弾性溝５７の下壁には弾性バネ５８が固定的に設けられ、前記弾性バネ５８の上端には弾性ブロック５６が固定的に設けられ、前記伝動溝２９の後壁には中心軸３２が回転可能に設けられ、前記中心軸３２には円形ブロック２８と第一プーリ６１が固定的に設けられ、前記円形ブロック２８は、前記第一プーリ６１の前側に位置し、
前記円形ブロック２８には八個の方形ブロック３０が等間隔に固定的に設けられ、前記伝動溝２９の右壁には方形磁石３１が固定的に設けられ、前記伝動溝２９の後壁には伝動軸４５が回転可能に設けられ、前記伝動軸４５には中間歯車４６と伝動プーリ４４とが固定的に設けられ、前記伝動プーリ４４は前記中間歯車４６の前側に位置し、前記伝動プーリ４４と前記第一プーリ６１はベルト４３によって摩擦伝動でき、前記伝動溝２９の上壁は長い溝２６を介して外部空間と連通し、前記長い溝２６の後壁には読取スロット２７が装着され、前記長い溝２６には中空ブロック４８が摺動可能に設けられ、前記中空ブロック４８の右端面には、右端が前記長い溝２６の右端壁に固定的に連結している長いバネ５３が固定的に設けられ、前記中空ブロック４８には前記中空ブロック４８の上下端面を貫通している中空溝４７が形成され、前記中空溝４７の後壁には位置決めロッド５１が固定的に設けられ、前記位置決めロッド５１にはラックブロック５０が回転可能に設けられ、前記ラックブロック５０の上端面には指針４９が固定的に設けられ、前記位置決めロッド５１と前記ラックブロック５０との間にはねじりばね５２が設けられ、前記ラックブロック５０の下端面は前記中間歯車４６と噛合伝動でき、前記弾性ブロック５６は左右に繰り返して移動することで、前記方形ブロック３０を押して等間隔に回転させ、前記指針４９は前記読取スロット２７の上で移動し、風力エネルギーの読み取りは前記指針４９によって前記読取スロット２７に表示される。
【００１９】
風力エネルギー機構７０は、前記伝動溝２９の左壁に位置する昇降溝２２を含み、前記昇降溝２２の上壁には昇降ばね２３が固定的に設けられ、前記昇降ばね２３の下端には前記昇降溝２２にスライド可能に連結している昇降ブロック２１が固定的に設けられ、前記昇降ブロック２１の右面には右端が前記伝動溝２９の内部に位置する昇降ロッド２０が固定的に設けられ、前記昇降ロッド２０の右端は三角形ブロック２４が固定的に設けられ、前記三角形ブロック２４の後面には第一斜めロッド２５が回転可能に設けられ、前記第一斜めロッド２５の右端は前記横ロッド５５と回転可能に連結され、前記伝動溝２９の下壁には、上壁が前記伝動溝２９と連通する円柱溝１９が形成され、前記三角形ブロック２４の下端は前記円柱溝１９に位置し、前記円柱溝１９の右壁には左端が外部空間に位置するファン軸１８が回転可能に設けられ、前記円柱溝１９の中にある前記ファン軸１８には押しブロック１７が固定的に設けられ、外部空間に位置する前記ファン軸１８には四つのファンブレード１４が等間隔にスライド可能に設けられている。
【００２０】
前記方向転換機構７２は、前記円柱溝１９に位置する圧力溝１６を含み、前記圧力溝１６は左方に開口し、前記圧力溝１６の右壁には左壁が前記圧力溝１６と連通する受力溝３４が設けられ、前記予測器ケース１０には五つの風防板３３が固定的に設けられ、前記受力溝３４の下壁は鉛直溝３５によって外部空間と連通し、前記圧力溝１６には圧力板１３が摺動可能に設けられ、前記圧力板１３の右面には、右端が前記圧力溝１６の右壁と固定的に連結している圧力スプリング１２が上下に対称に且つ固定的に設けられ、前記圧力板１３の右面の中央には、右端が前記受力溝３４の中に位置する移動ロッド１５が固定的に設けられ、前記移動ロッド１５の右端には第二傾斜ロッド１１が回転可能に設けられ、前記鉛直溝３５には前記鉛直溝３５を貫通する鉛直ロッド３９が摺動可能に設けられ、前記鉛直ロッド３９の上端は前記第二傾斜ロッド１１と回転可能に連結され、前記鉛直ロッド３９の下端には鉄の塊３７が固定的に設けられ、前記予測器ケース１０の下側には底板４２は設けられ、前記底板４２にはリング型磁石３８が装着され、前記底板４２には上方に開口するリング溝４０が形成され、前記リング溝４０には円弧状ブロック３６が左右対称に且つスライド可能に設けられ、前記円弧状ブロック３６の上面には、上端が前記予測器ケース１０の下端面と固定的に接続されている支持ロッド４１が固定的に設けられている。
【００２１】
前記鉄の塊３７と前記リング型磁石３８との間には引力が存在し、前記鉄の塊３７が特定の位置まで下降すると、前記鉄の塊は前記リング型磁石３８を引き付ける。
【００２２】
前記ファンブレード１４と前記風防板３３とは一定の強さの風により吹き動かされることができ、前記ファンブレード１４が風に吹き動かされた後、前記ファン軸１８を駆動して回転させ、前記風防板３３が風に吹き動かされた後、前記予測器ケース１０を駆動して前記底板４２に対して回転させる。
【００２３】
前記方形ブロック３０と前記方形磁石３１の間には引力があり、引力は前記弾性バネ５８の弾性力よりも大きいため、前記弾性ブロック５６が右に移動すると、前記方形ブロック３０は前記弾性ブロック５６を押し、前記弾性溝５７に向かって移動させる。
【００２４】
前記押しブロック１７が回転すると、前記押しブロック１７がどの方向に回転しても、前記三角形ブロック２４を押し上げることができる。
【００２５】
前記昇降ばね２３、前記圧力スプリング１２および前記長いバネ５３はすべて正常な状態にある。
【００２６】
本願発明の全体的な動作順序：
（１）装置を風力エネルギーの検出が必要とされる場所に配置し、底板４２を固定し、風が風防板３３を吹き動かすことによって風防板３３を回転させ、予測器ケース１０が風防板３３とともに回転し、圧力板１３を駆動して風に逆らうするように運動させる、
（２）このとき、風が圧力板１３を吹き動かして受力溝３４の所へ運動させ、圧力スプリング１２が圧縮され、風が一定程度に強くなると、移動ロッド１５が第二傾斜ロッド１１によって鉛直ロッド３９を駆動して下降させ、鉄の塊３７は鉛直ロッド３９の下降につれて、リング型磁石３８に吸着され、予測器ケース１０の回転が止まる、
（３）このとき、ファンブレード１４は風を逆らう方向に向けており、ファンブレード１４を駆動して回転させ、ファン軸１８はファンブレード１４と一緒に回転し、押しブロック１７を回転させ、押しブロック１７は三角形ブロック２４を押し上げ、第一斜めロッド２５の回転によって横ロッド５５を左方に運動させ、弾性ブロック５６が横ロッド５５とともに運動し、方形ブロック３０を押して回転させ、方形ブロック３０が円形ブロック２８を連れて回転させ、中心軸３２が円形ブロック２８とともに回転し、第一プーリ６１を駆動して回転させる、
（４）ベルト４３の摩擦伝動により、伝動プーリ４４が回転し、伝動軸４５が伝動プーリ４４とともに回転し、中間歯車４６が回転し、中間歯車４６とラックブロック５０との噛合伝動により、ラックブロック５０が左方に移動し、ラックブロック５０は指針４９を左方に運動させ、指針４９が読取スロット２７の異なる読み取り値を指し、長いバネ５３が引っ張られる、
（５）しばらくしてから、記録した読取スロット２７の数値がこの所の短時間の風力エネルギーであり、指針４９を引き上げ、ラックブロック５０を駆動して位置決めロッド５１を中心に回転させ、ラックブロック５０を中間歯車４６との噛み合いから外し、長いバネ５３のリセットにより、ラックブロック５０をリセットし、装置を再利用することができる。
【００２７】
上記方式により、本分野の当業者は本願発明の範囲内に作動パターンにより各種な変化を実行できる。
【図１】
2020197210.tif 000003
【図２】
2020197210.tif 000004
【図３】
2020197210.tif 000005
【図４】
2020197210.tif 000006
【図５】
2020197210.tif 000007
【図６】
2020197210.tif 000008
【図７】
2020197210.tif 000009
【手続補正書】
【提出日】令和2年6月10日(2020.6.10)
【手続補正１】
【補正対象書類名】特許請求の範囲
【補正対象項目名】請求項１
【補正方法】変更
【補正の内容】
【請求項１】
環境に優しい風力発電能力の短期予測装置であって、予測器ケースを含み、前記予測器ケースの内部には風力エネルギー記録機構が設けられ、前記風力エネルギー記録機構は伝動溝を含み、前記伝動溝は前記予測器ケースの内部に位置し、前記伝動溝の下壁には上向きに開口する移動溝が形成され、前記移動溝の内部には移動ブロックがスライド可能に設けられ、前記移動ブロックの上端面には、上端が前記伝動溝の中に位置する移動ロッドが固定的に設けられ、前記移動ロッドの上端には横ロッドが固定的に設けられ、前記横ロッドの内部には、上方に開口する弾性溝が形成され、前記弾性溝の下壁には弾性バネが固定的に設けられ、前記弾性バネの上端には弾性ブロックが固定的に設けられ、前記伝動溝の後壁には中心軸が回転可能に設けられ、前記中心軸には円形ブロックと第一プーリが固定的に設けられ、前記円形ブロックは、前記第一プーリの前側に位置し、前記円形ブロックには八個の方形ブロックが等間隔に固定的に設けられ、前記伝動溝の右壁には方形磁石が固定的に設けられ、前記伝動溝の後壁には伝動軸が回転可能に設けられ、前記伝動軸には中間歯車と伝動プーリとが固定的に設けられ、前記伝動プーリは前記中間歯車の前側に位置し、前記伝動プーリと前記第一プーリはベルトによって摩擦伝動でき、前記伝動溝の上壁は長い溝を介して外部空間と連通し、前記長い溝の後壁には読取スロットが装着され、前記長い溝には中空ブロックが摺動可能に設けられ、前記中空ブロックの右端面には、右端が前記長い溝の右端壁に固定的に連結している長いバネが固定的に設けられ、前記中空ブロックには前記中空ブロックの上下端面を貫通している中空溝が形成され、前記中空溝の後壁には位置決めロッドが固定的に設けられ、前記位置決めロッドにはラックブロックが回転可能に設けられ、前記ラックブロックの上端面には指針が固定的に設けられ、前記位置決めロッドと前記ラックブロックとの間にはねじりばねが設けられ、前記ラックブロックの下端面は前記中間歯車と噛合伝動でき、前記弾性ブロックは左右に繰り返して移動することで、前記方形ブロックを押して等間隔に回転させ、前記指針は前記読取スロットの上で移動し、風力エネルギーの読み取りは前記指針によって前記読取スロットに表示されることを特徴とする環境に優しい風力発電能力の短期予測装置。
【手続補正２】
【補正対象書類名】明細書
【補正対象項目名】全文
【補正方法】変更
【補正の内容】
【発明の詳細な説明】
【技術分野】
【０００１】
本願発明は風力発電検出の技術分野を取り上げ、具体的には環境に優しい風力発電能力の短期予測装置である。
【背景技術】
【０００２】
風力エネルギーは非常に環境に優しくて再生可能なエネルギー源であり、風力エネルギーを使用する前に、後に設備を設置するために発電能力を予測する必要があるが、既存の風力発電能力の短期予測装置自体のほとんどはエネルギーを消費する必要があり、環境保護に役立たず、使いにくくて人力的な操作が必要とされ、自動化の程度が低く、コストと材料の投入が多い。
【先行技術文献】
【特許文献】
【０００３】
【特許文献１】中国特許出願公開第１０２８６８２０３号明細書
【発明の概要】
【発明が解決しようとする課題】
【０００４】
本願発明の目的は環境に優しい風力発電能力の短期予測装置を提供することにより、上記の技術問題を克服する。
【課題を解決するための手段】
【０００５】
上記の課題を解決するため、本願発明は以下の技術プランを採用する：予測器ケースを含み、前記予測器ケースの内部には風力エネルギー記録機構が設けられ、前記風力エネルギー記録機構は伝動溝を含み、前記伝動溝は前記予測器ケースの内部に位置し、前記伝動溝の下壁には上向きに開口する移動溝が形成され、前記移動溝の内部には移動ブロックがスライド可能に設けられ、前記移動ブロックの上端面には、上端が前記伝動溝の中に位置する移動ロッドが固定的に設けられ、前記移動ロッドの上端には横ロッドが固定的に設けられ、前記横ロッドの内部には、上方に開口する弾性溝が形成され、前記弾性溝の下壁には弾性バネが固定的に設けられ、前記弾性バネの上端には弾性ブロックが固定的に設けられ、前記伝動溝の後壁には中心軸が回転可能に設けられ、前記中心軸には円形ブロックと第一プーリが固定的に設けられ、前記円形ブロックは、前記第一プーリの前側に位置し、
前記円形ブロックには八個の方形ブロックが等間隔に固定的に設けられ、前記伝動溝の右壁には方形磁石が固定的に設けられ、前記伝動溝の後壁には伝動軸が回転可能に設けられ、前記伝動軸には中間歯車と伝動プーリとが固定的に設けられ、前記伝動プーリは前記中間歯車の前側に位置し、前記伝動プーリと前記第一プーリはベルトによって摩擦伝動でき、前記伝動溝の上壁は長い溝を介して外部空間と連通し、前記長い溝の後壁には読取スロットが装着され、前記長い溝には中空ブロックが摺動可能に設けられ、前記中空ブロックの右端面には、右端が前記長い溝の右端壁に固定的に連結している長いバネが固定的に設けられ、前記中空ブロックには前記中空ブロックの上下端面を貫通している中空溝が形成され、前記中空溝の後壁には位置決めロッドが固定的に設けられ、前記位置決めロッドにはラックブロックが回転可能に設けられ、前記ラックブロックの上端面には指針が固定的に設けられ、前記位置決めロッドと前記ラックブロックとの間にはねじりばねが設けられ、前記ラックブロックの下端面は前記中間歯車と噛合伝動でき、前記弾性ブロックは左右に繰り返して移動することで、前記方形ブロックを押して等間隔に回転させ、前記指針は前記読取スロットの上で移動し、風力エネルギーの読み取りは前記指針によって前記読取スロットに表示される。
【０００６】
更の技術プラン、風力エネルギー機構は、前記伝動溝の左壁に位置する昇降溝を含み、前記昇降溝の上壁には昇降ばねが固定的に設けられ、前記昇降ばねの下端には前記昇降溝にスライド可能に連結している昇降ブロックが固定的に設けられ、前記昇降ブロックの右面には右端が前記伝動溝の内部に位置する昇降ロッドが固定的に設けられ、前記昇降ロッドの右端は三角形ブロックが固定的に設けられ、前記三角形ブロックの後面には第一斜めロッドが回転可能に設けられ、前記第一斜めロッドの右端は前記横ロッドと回転可能に連結され、前記伝動溝の下壁には、上壁が前記伝動溝と連通する円柱溝が形成され、前記三角形ブロックの下端は前記円柱溝に位置し、前記円柱溝の右壁には左端が外部空間に位置するファン軸が回転可能に設けられ、前記円柱溝の中にある前記ファン軸には押しブロックが固定的に設けられ、外部空間に位置する前記ファン軸には四つのファンブレードが等間隔にスライド可能に設けられている。
【０００７】
優選の技術プランとして、前記方向転換機構は、前記円柱溝に位置する圧力溝を含み、前記圧力溝は左方に開口し、前記圧力溝の右壁には左壁が前記圧力溝と連通する受力溝が設けられ、前記予測器ケースには五つの風防板が固定的に設けられ、前記受力溝の下壁は鉛直溝によって外部空間と連通し、前記圧力溝には圧力板が摺動可能に設けられ、前記圧力板の右面には、右端が前記圧力溝の右壁と固定的に連結している圧力スプリングが上下に対称に且つ固定的に設けられ、前記圧力板の右面の中央には、右端が前記受力溝の中に位置する移動ロッドが固定的に設けられ、前記移動ロッドの右端には第二傾斜ロッドが回転可能に設けられ、前記鉛直溝には前記鉛直溝を貫通する鉛直ロッドが摺動可能に設けられ、前記鉛直ロッドの上端は前記第二傾斜ロッドと回転可能に連結され、前記鉛直ロッドの下端には鉄の塊が固定的に設けられ、前記予測器ケースの下側には底板は設けられ、前記底板にはリング型磁石が装着され、前記底板には上方に開口するリング溝が形成され、前記リング溝には円弧状ブロックが左右対称に且つスライド可能に設けられ、前記円弧状ブロックの上面には、上端が前記予測器ケースの下端面と固定的に接続されている支持ロッドが固定的に設けられている。
【０００８】
優選の技術プランとして、前記鉄の塊と前記リング型磁石との間には引力が存在し、前記鉄の塊が特定の位置まで下降すると、前記鉄の塊は前記リング型磁石を引き付ける。
【０００９】
優選の技術プランとして、前記ファンブレードと前記風防板とは一定の強さの風により吹き動かされることができ、前記ファンブレードが風に吹き動かされた後、前記ファン軸を駆動して回転させ、前記風防板が風に吹き動かされた後、前記予測器ケースを駆動して前記底板に対して回転させる。
【００１０】
優選の技術プランとして、前記方形ブロックと前記方形磁石の間には引力があり、引力は前記弾性バネの弾性力よりも大きいため、前記弾性ブロックが右に移動すると、前記方形ブロックは前記弾性ブロックを押し、前記弾性溝に向かって移動させる。
【００１１】
優選の技術プランとして、前記押しブロックが回転すると、前記押しブロックがどの方向に回転しても、前記三角形ブロックを押し上げることができる。
【００１２】
優選の技術プランとして、前記昇降ばね、前記圧力スプリングおよび前記長いバネはすべて正常な状態にある。
【発明の効果】
【００１３】
本願発明は電源を使用せず、完全に外部の風力で動作し、非常に環境に優しく、エネルギーを節約でき、本願発明は風の方向に向けるように方向を自動的に調整でき、測定サイトで風力エネルギーの短期予測と記録の読み取りを行い、使用者は測定値を定期的に観察し、本願発明をリセットするだけで、測定サイトの短期風力エネルギー値を取得でき、使いやすく、全体的な投入コストと材料が少なく、資源を節約することもできる。
【図面の簡単な説明】
【００１４】
下記に図１〜７をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】は本願発明の環境に優しい風力発電能力の短期予測装置の全体断面の正面図
【図２】図２は図１におけるＣの拡大模式図
【図３】図３は図１におけるＥの拡大模式図
【図４】図４は図１におけるＡ?Ａ方向の模式図
【図５】図５は図１のＢ?Ｂ方向の模式図
【図６】図６は図１のＦ?Ｆ方向の模式図
【図７】図７は図２のＤ?Ｄ方向の模式図
【発明を実施するための形態】
【００１６】
ここでは図１〜７を参照し、本願発明について詳しく説明する。叙述の便利のため、以下に述べる方位についてこのように規定する：以下に述べる上下・左右・前後の方向は、図１自体の投影関係の上下・左右・前後の方向と一致する。
【００１７】
図１〜７を参照し、本願発明の環境に優しい風力発電能力の短期予測装置は、主に予測器ケース１０、風力エネルギー機構７０、風力エネルギー記録機構７１、および方向転換機構７２を含む。
【００１８】
前記予測器ケース１０の内部には前記風力エネルギー記録機構７１が設けられ、前記風力エネルギー記録機構７１は伝動溝２９を含み、前記伝動溝２９は前記予測器ケース１０の内部に位置し、前記伝動溝２９の下壁には上向きに開口する移動溝が形成され、前記移動溝５９の内部には移動ブロック５４がスライド可能に設けられ、前記移動ブロック５４の上端面には、上端が前記伝動溝２９の中に位置する移動ロッド６０が固定的に設けられ、前記移動ロッド６０の上端には横ロッド５５が固定的に設けられ、前記横ロッド５５の内部には、上方に開口する弾性溝５７が形成され、前記弾性溝５７の下壁には弾性バネ５８が固定的に設けられ、前記弾性バネ５８の上端には弾性ブロック５６が固定的に設けられ、前記伝動溝２９の後壁には中心軸３２が回転可能に設けられ、前記中心軸３２には円形ブロック２８と第一プーリ６１が固定的に設けられ、前記円形ブロック２８は、前記第一プーリ６１の前側に位置し、
前記円形ブロック２８には八個の方形ブロック３０が等間隔に固定的に設けられ、前記伝動溝２９の右壁には方形磁石３１が固定的に設けられ、前記伝動溝２９の後壁には伝動軸４５が回転可能に設けられ、前記伝動軸４５には中間歯車４６と伝動プーリ４４とが固定的に設けられ、前記伝動プーリ４４は前記中間歯車４６の前側に位置し、前記伝動プーリ４４と前記第一プーリ６１はベルト４３によって摩擦伝動でき、前記伝動溝２９の上壁は長い溝２６を介して外部空間と連通し、前記長い溝２６の後壁には読取スロット２７が装着され、前記長い溝２６には中空ブロック４８が摺動可能に設けられ、前記中空ブロック４８の右端面には、右端が前記長い溝２６の右端壁に固定的に連結している長いバネ５３が固定的に設けられ、前記中空ブロック４８には前記中空ブロック４８の上下端面を貫通している中空溝４７が形成され、前記中空溝４７の後壁には位置決めロッド５１が固定的に設けられ、前記位置決めロッド５１にはラックブロック５０が回転可能に設けられ、前記ラックブロック５０の上端面には指針４９が固定的に設けられ、前記位置決めロッド５１と前記ラックブロック５０との間にはねじりばね５２が設けられ、前記ラックブロック５０の下端面は前記中間歯車４６と噛合伝動でき、前記弾性ブロック５６は左右に繰り返して移動することで、前記方形ブロック３０を押して等間隔に回転させ、前記指針４９は前記読取スロット２７の上で移動し、風力エネルギーの読み取りは前記指針４９によって前記読取スロット２７に表示される。
【００１９】
風力エネルギー機構７０は、前記伝動溝２９の左壁に位置する昇降溝２２を含み、前記昇降溝２２の上壁には昇降ばね２３が固定的に設けられ、前記昇降ばね２３の下端には前記昇降溝２２にスライド可能に連結している昇降ブロック２１が固定的に設けられ、前記昇降ブロック２１の右面には右端が前記伝動溝２９の内部に位置する昇降ロッド２０が固定的に設けられ、前記昇降ロッド２０の右端は三角形ブロック２４が固定的に設けられ、前記三角形ブロック２４の後面には第一斜めロッド２５が回転可能に設けられ、前記第一斜めロッド２５の右端は前記横ロッド５５と回転可能に連結され、前記伝動溝２９の下壁には、上壁が前記伝動溝２９と連通する円柱溝１９が形成され、前記三角形ブロック２４の下端は前記円柱溝１９に位置し、前記円柱溝１９の右壁には左端が外部空間に位置するファン軸１８が回転可能に設けられ、前記円柱溝１９の中にある前記ファン軸１８には押しブロック１７が固定的に設けられ、外部空間に位置する前記ファン軸１８には四つのファンブレード１４が等間隔にスライド可能に設けられている。
【００２０】
前記方向転換機構７２は、前記円柱溝１９に位置する圧力溝１６を含み、前記圧力溝１６は左方に開口し、前記圧力溝１６の右壁には左壁が前記圧力溝１６と連通する受力溝３４が設けられ、前記予測器ケース１０には五つの風防板３３が固定的に設けられ、前記受力溝３４の下壁は鉛直溝３５によって外部空間と連通し、前記圧力溝１６には圧力板１３が摺動可能に設けられ、前記圧力板１３の右面には、右端が前記圧力溝１６の右壁と固定的に連結している圧力スプリング１２が上下に対称に且つ固定的に設けられ、前記圧力板１３の右面の中央には、右端が前記受力溝３４の中に位置する移動ロッド１５が固定的に設けられ、前記移動ロッド１５の右端には第二傾斜ロッド１１が回転可能に設けられ、前記鉛直溝３５には前記鉛直溝３５を貫通する鉛直ロッド３９が摺動可能に設けられ、前記鉛直ロッド３９の上端は前記第二傾斜ロッド１１と回転可能に連結され、前記鉛直ロッド３９の下端には鉄の塊３７が固定的に設けられ、前記予測器ケース１０の下側には底板４２は設けられ、前記底板４２にはリング型磁石３８が装着され、前記底板４２には上方に開口するリング溝４０が形成され、前記リング溝４０には円弧状ブロック３６が左右対称に且つスライド可能に設けられ、前記円弧状ブロック３６の上面には、上端が前記予測器ケース１０の下端面と固定的に接続されている支持ロッド４１が固定的に設けられている。
【００２１】
前記鉄の塊３７と前記リング型磁石３８との間には引力が存在し、前記鉄の塊３７が特定の位置まで下降すると、前記鉄の塊は前記リング型磁石３８を引き付ける。
【００２２】
前記ファンブレード１４と前記風防板３３とは一定の強さの風により吹き動かされることができ、前記ファンブレード１４が風に吹き動かされた後、前記ファン軸１８を駆動して回転させ、前記風防板３３が風に吹き動かされた後、前記予測器ケース１０を駆動して前記底板４２に対して回転させる。
【００２３】
前記方形ブロック３０と前記方形磁石３１の間には引力があり、引力は前記弾性バネ５８の弾性力よりも大きいため、前記弾性ブロック５６が右に移動すると、前記方形ブロック３０は前記弾性ブロック５６を押し、前記弾性溝５７に向かって移動させる。
【００２４】
前記押しブロック１７が回転すると、前記押しブロック１７がどの方向に回転しても、前記三角形ブロック２４を押し上げることができる。
【００２５】
前記昇降ばね２３、前記圧力スプリング１２および前記長いバネ５３はすべて正常な状態にある。
【００２６】
本願発明の全体的な動作順序：
（１）装置を風力エネルギーの検出が必要とされる場所に配置し、底板４２を固定し、風が風防板３３を吹き動かすことによって風防板３３を回転させ、予測器ケース１０が風防板３３とともに回転し、圧力板１３を駆動して風に逆らうするように運動させる、（２）このとき、風が圧力板１３を吹き動かして受力溝３４の所へ運動させ、圧力スプリング１２が圧縮され、風が一定程度に強くなると、移動ロッド１５が第二傾斜ロッド１１によって鉛直ロッド３９を駆動して下降させ、鉄の塊３７は鉛直ロッド３９の下降につれて、リング型磁石３８に吸着され、予測器ケース１０の回転が止まる、
（３）このとき、ファンブレード１４は風を逆らう方向に向けており、ファンブレード１４を駆動して回転させ、ファン軸１８はファンブレード１４と一緒に回転し、押しブロック１７を回転させ、押しブロック１７は三角形ブロック２４を押し上げ、第一斜めロッド２５の回転によって横ロッド５５を左方に運動させ、弾性ブロック５６が横ロッド５５とともに運動し、方形ブロック３０を押して回転させ、方形ブロック３０が円形ブロック２８を連れて回転させ、中心軸３２が円形ブロック２８とともに回転し、第一プーリ６１を駆動して回転させる、
（４）ベルト４３の摩擦伝動により、伝動プーリ４４が回転し、伝動軸４５が伝動プーリ４４とともに回転し、中間歯車４６が回転し、中間歯車４６とラックブロック５０との噛合伝動により、ラックブロック５０が左方に移動し、ラックブロック５０は指針４９を左方に運動させ、指針４９が読取スロット２７の異なる読み取り値を指し、長いバネ５３が引っ張られる、
（５）しばらくしてから、記録した読取スロット２７の数値がこの所の短時間の風力エネルギーであり、指針４９を引き上げ、ラックブロック５０を駆動して位置決めロッド５１を中心に回転させ、ラックブロック５０を中間歯車４６との噛み合いから外し、長いバネ５３のリセットにより、ラックブロック５０をリセットし、装置を再利用することができる。
【００２７】
上記方式により、本分野の当業者は本願発明の範囲内に作動パターンにより各種な変化を実行できる。